(57)【要約】  本発明の実施例は、少なくとも１つの移動局（ＭＳ）と通信するために動作可能な基地局（ＢＳ）を含む機器を提供し、前記基地局は、スリープ・モードの移動局に対して制御メッセージを送信するために、要求に基づく共通チャネルを使用する。
2010506540.tif 000002
【特許請求の範囲】
【請求項１】
アイドル・モードまたはスリープ・モードにある少なくとも１つの移動局（ＭＳ）と通信するために動作可能な基地局（ＢＳ）であって、前記基地局は、前記アイドル・モードまたはスリープ・モードにある前記ＭＳに制御メッセージを送信するために、要求に基づく共通チャネルを使用するように適合されることを特徴とする機器。
【請求項２】
前記要求に基づく共通チャネルは、フレームのダウンリンク（ＤＬ）部分内に、固定位置または相対的固定位置のいずれかを有することを特徴とする請求項１記載の機器。
【請求項３】
前記固定位置は、ＯＦＤＭＡシンボル・オフセットおよびＯＦＤＭＡサブチャネル・オフセットを有する位置として定義され、前記相対的固定位置は、ＯＦＤＭＡフレームのいくつかの周知フィールドの後にある位置として定義されることを特徴とする請求項２記載の機器。
【請求項４】
前記要求に基づく共通チャネルの使用は、いくつかの制御メッセージの存在を見出すためにＦＣＨ（フレーム制御ヘッダ）を復号する前記少なくとも１つのアイドルまたはスリープ・モードのＭＳによって行われ、現在のフレーム内にそれに対する制御メッセージの存在を見出した場合または見出した場合にのみ、前記ＦＣＨの直後に続くＬＩＳＣＣ（論理アイドル・スリープ制御コード）を復号し、前記共通チャネルの長さを決定し、その後前記共通チャネル内の制御情報を復号することを特徴とする請求項１記載の機器。
【請求項５】
前記要求に基づく共通チャネルの使用は、
前記共通チャネルのプリアンブルによって同期を取り、ページング可能なインターバル中に前記現在のフレーム内のＭＯＢ＿ＰＡＧ−ＡＤＶメッセージの存在を見出すためにＦＣＨを復号し、
ＬＩＳＣＣを復号し、前記共通チャネルの長さを決定し、そして、ＭＯＢ＿ＰＡＧ−ＡＤＶが存在する場合は、前記共通チャネル内のＭＯＢ＿ＰＡＧ−ＡＤＶメッセージを読む、ことによって、
前記アイドル・モードにある前記少なくとも１つのＭＳのために達成されることを特徴とする請求項１記載の機器。
【請求項６】
前記要求に基づく共通チャネルの使用は、
前記共通チャネルのプリアンブルによって同期を取り、使用可能なインターバル中に前記現在フレーム内のＭＯＢ＿ＴＲＰ−ＩＮＤメッセージの存在を見出すためにＦＣＨを復号し、
ＬＩＳＣＣを復号し、前記共通チャネルの長さを決定し、そして、ＭＯＢ＿ＴＲＰ−ＩＮＤが存在する場合は、前記共通チャネル内のＭＯＢ＿ＴＲＰ−ＩＮＤメッセージを読む、ことによって、
前記スリープ・モードにある少なくとも１つのＭＳのために達成されることを特徴とする請求項１記載の機器。
【請求項７】
前記共通チャネルの位置に関する情報は、前記ＢＳによって送信されたブロードキャスト制御情報を通して前記少なくとも１つのＭＳに提供されることを特徴とする請求項１記載の機器。
【請求項８】
前記ＦＣＨ内の個別のスリープおよびアイドル・フラグは、前記制御メッセージの存在または不存在を表示するために使用されることを特徴とする請求項４記載の機器。
【請求項９】
１つのフラグだけが、前記ＦＣＨ内にスリープ・メッセージまたはアイドル・メッセージ、またはスリープおよびアイドル・メッセージの両方の存在を示すために前記ＦＣＨ内で使用されることを特徴とする請求項４記載の機器。
【請求項１０】
前記少なくとも１つのアイドルまたはスリープ・モードのＭＳは、異なるページングおよびスリープ・グループに分類され、ＬＩＳＣＣは、前記少なくとも１つのＭＳのために、ＭＯＢ＿ＰＡＧ−ＡＤＶおよびＭＯＢ＿ＴＲＦ−ＩＮＤメッセージが存在するかどうかを表示するために修正されることを特徴とする請求項４記載の機器。
【請求項１１】
移動局と通信するために動作可能な基地局（ＢＳ）によって、アイドル・モードおよびスリープ・モードの前記移動局へ制御メッセージを送信するために、要求に基づく共通チャネルを使用する段階を含むことを特徴とする方法。
【請求項１２】
前記少なくとも１つのアイドルまたはスリープ・モードのＭＳによっていくつかの制御メッセージの存在を見出すためにＦＣＨ（フレーム制御ヘッダ）を復号する段階をさらに含み、現在のフレーム内にそれに対する制御メッセージの存在を見出した場合または見出した場合にのみ、前記ＦＣＨの直後に続くＬＩＳＣＣ（論理アイドル・スリープ制御コード）を復号する段階、前記共通チャネルの長さを決定する段階、その後前記共通チャネル内の制御情報を復号する段階を含むことを特徴とする請求項１１記載の方法。
【請求項１３】
前記アイドル・モードの移動局がページング可能なインターバル中である場合は、現在のフレームのプリアンブルによって同期を取り、ＦＣＨを復号する段階と、
ＬＩＳＣＣを復号し、前記共通チャネルの長さを決定する段階と、
ＭＯＢ＿ＰＡＧ−ＡＤＶが存在する場合は、前記共通チャネル内のＭＯＢ＿ＰＡＧ−ＡＤＶメッセージを読む段階と、
をさらに含むことを特徴とする請求項１１記載の方法。
【請求項１４】
前記スリープ・モードの移動局が使用可能なインターバル中である場合は、現在のフレームのプリアンブルによって同期を取り、ＦＣＨを復号する段階と、
ＬＩＳＣＣを復号し、前記共通チャネルの長さを決定し、さらに、ＭＯＢ＿ＴＲＰ−ＩＮＤが存在する場合は、前記共通チャネル内の前記ＭＯＢ＿ＴＲＰ−ＩＮＤメッセージを読む段階と、
をさらに含むことを特徴とする請求項１１記載の方法。
【請求項１５】
前記ＢＳによって送信されたブロードキャスト制御情報を通して前記少なくとも１つのＭＳに前記共通チャネルの位置に関する情報を提供する段階をさらに含むことを特徴とする請求項１１記載の方法。
【請求項１６】
前記制御メッセージの存在または不存在を表示するために、前記ＦＣＨ内の個別のスリープおよびアイドル・フラグを使用する段階をさらに含むことを特徴とする請求項１２記載の方法。
【請求項１７】
前記ＦＣＨ内のスリープ・メッセージまたはアイドル・メッセージ、またはスリープおよびアイドル・メッセージの両方の存在を示すために、前記ＦＣＨ内の１つのフラグのみを使用する段階をさらに含むことを特徴とする請求項１２記載の方法。
【請求項１８】
前記少なくとも１つのアイドルまたはスリープ・モードのＭＳは、異なるページングおよびスリープ・グループに分類され、ＬＩＳＣＣは、ＭＯＢ＿ＰＡＧ−ＡＤＶおよびＭＯＢ＿ＴＲＦ−ＩＮＤメッセージが前記少なくとも１つのＭＳのために存在するかどうかを表示するために修正されることをさらに含むことを特徴とする請求項１２記載の方法。
【請求項１９】
命令を提供するマシンアクセス可能な媒体であって、アクセスされたとき、マシンに、
制御メッセージをアイドル・モードおよびスリープ・モードの移動局に送信するために、前記移動局と通信するために動作可能な基地局（ＢＳ）によって、要求に基づく共通のチャネルを使用する動作を実行させる、
ことを特徴とするマシンアクセス可能な媒体。
【請求項２０】
前記マシンアクセス可能な媒体において、前記マシンに、
前記少なくとも１つのアイドルまたはスリープ・モードのＭＳによっていくつかの制御メッセージの存在を見出すためにＦＣＨ（フレーム制御ヘッダ）を復号する段階をさらに含み、現在のフレーム内にそれに対する制御メッセージの存在を見出した場合または見出した場合にのみ、前記ＦＣＨの直後に続くＬＩＳＣＣ（論理アイドル・スリープ制御コード）を復号する段階、前記共通チャネルの長さを決定する段階、その後前記共通チャネル内の制御情報を復号する段階を含む動作を実行させる命令、
をさらに含むことを特徴とする請求項１９記載のマシンアクセス可能な媒体。
【請求項２１】
前記マシンアクセス可能な媒体において、前記マシンに、
ページング可能なインターバル中に現在のフレームのプリアンブルによって同期を取り、ＦＣＨを復号する段階と、
ＬＩＳＣＣを復号し、前記共通チャネルの長さを決定する段階と、
ＭＯＢ＿ＰＡＧ−ＡＤＶが存在する場合は、前記共通チャネル内のＭＯＢ＿ＰＡＧ−ＡＤＶメッセージを読む段階と、
を含む動作を実行させる命令をさらに含むことを特徴とする請求項１９記載のマシンアクセス可能な媒体。
【請求項２２】
前記マシンアクセス可能な媒体において、前記マシンに、
使用可能なインターバル中に現在のフレームのプリアンブルによって同期を取り、ＦＣＨを復号し、
ＬＩＳＣＣを復号し、前記共通チャネルの長さを決定する段階と、
ＭＯＢ＿ＴＲＦ−ＩＮＤが存在する場合は、前記共通チャネル内のＭＯＢ＿ＴＲＦ−ＩＮＤメッセージを読む段階と、
を含む動作を実行させる命令をさらに含むことを特徴とする請求項１９記載のマシンアクセス可能な媒体。
【請求項２３】
前記マシンアクセス可能な媒体において、前記マシンに、
前記ＢＳによって送信されたブロードキャスト制御情報を通して前記少なくとも１つのＭＳに前記共通チャネルの位置に関する情報を提供する段階を含む動作を実行させる命令をさらに含むことを特徴とする請求項１９記載のマシンアクセス可能な媒体。
【請求項２４】
前記マシンアクセス可能な媒体において、前記マシンに、
前記制御メッセージの存在または不存在を表示するために、前記ＦＣＨ内の個別のスリープおよびアイドル・フラグを使用する段階を含む動作を実行させる命令をさらに含むことを特徴とする請求項２０記載のマシンアクセス可能な媒体。
【請求項２５】
前記マシンアクセス可能な媒体において、前記マシンに、
前記ＦＣＨ内にスリープ・メッセージまたはアイドル・メッセージ、またはスリープおよびアイドル・メッセージの両方が存在することを表示するために、前記ＦＣＨ内の１つのフラグのみを使用する段階を含む動作を実行させる命令をさらに含むことを特徴とする請求項２０記載のマシンアクセス可能な媒体。
【請求項２６】
前記マシンアクセス可能な媒体において、前記マシンに、
前記少なくとも１つのアイドルまたはスリープ・モードのＭＳが異なるページングおよびスリープ・グループに分類されたとき、ＬＩＳＣＣは、前記少なくとも１つのＭＳのためにＭＯＢ＿ＰＡＧ−ＡＤＶおよびＭＯＢ＿ＴＲＦ−ＩＮＤメッセージが存在するかどうかを表示するために修正する段階を含む動作を実行させる命令をさらに含むことを特徴とする請求項２０記載のマシンアクセス可能な媒体。
【請求項２７】
移動局（ＭＳ）と、
前記移動局（ＭＳ）と通信するために動作可能な基地局（ＢＳ）であって、前記基地局は、前記移動局がアイドル・モードおよびスリープ・モードにあるとき、前記移動局に制御メッセージを送信するために、要求に基づく共通チャネルを使用するために適合される、基地局と、
から構成されることを特徴とするシステム。
【請求項２８】
前記要求に基づく共通チャネルの使用は、いくつかの制御メッセージの存在を見出すためにＦＣＨ（フレーム制御ヘッダ）を復号する前記少なくとも１つのアイドルまたはスリープ・モードのＭＳによって行われ、現在のフレーム内にそれに対する制御メッセージの存在を見出した場合または見出した場合にのみ、前記ＦＣＨの直後に続くＬＩＳＣＣ（論理アイドル・スリープ制御コード）を復号し、前記共通チャネルの長さを決定し、その後前記共通チャネル内の制御情報を復号することを特徴とする請求項２７記載のシステム。
【請求項２９】
前記ＢＳに付設された双方向アンテナをさらに含むことを特徴とする請求項２７記載のシステム。
【発明の詳細な説明】
【背景技術】
【０００１】
（関連出願のクロスリファレンス）  本願は、２００６年１０月１０日に出願された米国仮出願第６０／８５０，８５１号、発明の名称「ＴＥＣＨＮＩＱＵＥＳ  ＴＯ  ＥＦＦＩＣＩＥＮＴＬＹ  ＴＲＡＮＳＭＩＴ  ＣＯＮＴＲＯＬ  ＭＥＳＳＡＧＥＳ  ＴＯ  ＩＤＬＥ  ＡＮＤ  ＳＬＥＥＰ  ＭＯＤＥ  ＵＳＥＲＳ  ＩＮ  ＯＦＤＭＡ  ＢＡＳＥＤ  ＷＩＲＥＬＥＳＳ  ＮＥＴＷＯＲＫＳ」に関する利益を主張する。
ワイヤレス通信システムにおいて、ＭＳと称される移動局は、以下のいずれか１つの状態にある。すなわち、状態Ｉ：１またはそれ以上のアクティブ・コール・セッション中にトラフィックを受信または送信している。状態ＩＩ：アクティブ・コール・セッション中にトラフィックを受信も送信もしていない。状態ＩＩＩ：アクティブ・コール・セッションに接続されていない。
【０００２】
ＭＳが状態ＩＩまたはＩＩＩにあるとき、ＭＳは、ネットワークを用いた全ての送信および受信活動を一時的に切断することができる。したがって、これらの状況は、バッテリを保存しワイヤレス資源を節約する機会として使用される。米国電気電子学会（ＩＥＥＥ）規格８０２．１６ｅに基づくワイヤレス・ネットワークは、状態ＩＩおよびＩＩＩを利用するために、スリープ・モードおよびアイドル・モード動作をそれぞれ用いるが、この点に制限されることはない。したがって、これらのネットワーク内のＭＳは、１またはそれ以上のコール・セッションがアクティブである間に、それがトラフィックを送信または受信しないとき、スリープ・モードで動作する。同様に、ＭＳは、アクティブ・コール・セッションに接続されていない間、アイドル・モードで動作する。
【０００３】
したがって、ワイヤレス・ネットワークに基づく直交周波数分割多重接続（ＯＦＤＭＡ）におけるアイドルおよびスリープ・モードのユーザに制御メッセージを効率的に送信するための技術に対する強い要望がある。
【図面の簡単な説明】
【０００４】
本発明であるとみなされる主題は、本明細書の最終部分において特に指摘され明確に主張される。しかしながら、本発明は、構成および動作方法の両方について、その目的、特徴および利点も含め、以下の詳細な説明を添付図面と共に参照することにより、より良く理解されるであろう。
【０００５】
【図１】本発明の実施例における、スリープおよびアイドル・モード制御メッセージ送信を示すＩＥＥＥ８０２．１６ｅダウンリンク（ＤＬ）フレームである。
【０００６】
【図２】本発明の実施例に従った、アイドル・モードの移動局（ＭＳ）の動作に関するフローチャートである。
【０００７】
【図３】本発明の実施例に従った、スリープ・モードのＭＳの動作に関するフローチャートである。
【０００８】
【図４】本発明の１つの実施例に従ったシステムを示す。
【０００９】
図を単純化および明瞭化するために、図中に示される要素は、必ずしも同一寸法で描かれていないことがわかるであろう。例えば、いくつかの要素の寸法は、明瞭化のために他の要素に比べて拡大される。さらに、適切であると考えられる場合には、対応または類似する要素を示すために、同じ参照番号がいくつかの図中で繰り返し使用される。
【発明を実施するための形態】
【００１０】
以下の詳細な説明では、本発明についての完全な理解を提供するために、多くの特定の詳細事項について記述される。しかしながら、当業者は、本発明がこれらの特定の詳細事項なしでも実施可能であることを理解するであろう。また、例えば周知の方法、手続、構成要素、および回路については、本発明を不明瞭にしないために詳細には記述されない。
【００１１】
以下の詳細な説明では、本発明についての完全な理解を提供するために、多くの特定の詳細事項について記述される。しかしながら、当業者は、本発明がこれらの特定の詳細事項なしでも実施可能であることを理解するであろう。また、周知の方法、手続、構成要素、ユニットおよび／または回路については、本発明を不明瞭にしないために詳細には記述されない。
【００１２】
本発明の実施例は、様々なアプリケーション内で使用することが可能である。本発明のいくつかの実施例は、様々な装置およびシステム、例えば、送信機、受信機、トランシーバ、送受信機、ワイヤレス通信局、ワイヤレス通信装置、ワイヤレス・アクセス・ポイント（ＡＰ）、モデム、ワイヤレス・モデム、パーソナル・コンピュータ（ＰＣ）、デスクトップ・コンピュータ、モバイル・コンピュータ、ラップトップ・コンピュータ、ノート型コンピュータ、タブレット・コンピュータ、サーバ・コンピュータ、ハンドヘルド・コンピュータ、ハンドヘルド装置、携帯情報端末（ＰＤＡ）装置、ハンドヘルドＰＤＡ装置、ネットワーク、ワイヤレス・ネットワーク、ローカル・エリア・ネットワーク（ＬＡＮ）、ワイヤレスＬＡＮ（ＷＬＡＮ）、メトロポリタン・エリア・ネットワーク（ＭＡＮ）、ワイヤレスＭＡＮ（ＷＭＡＮ）、ワイドエリア・ネットワーク（ＷＡＮ）、ワイヤレスＷＡＮ（ＷＷＡＮ）、および、既存のＩＥＥＥ８０２．１６ｅ、８０２．２０、３ＧＰＰロング・ターム・エボリューション（ＬＴＥ）等、および／または前記規格の将来のバージョンおよび／またはデリバティブおよび／またはロング・ターム・エボリューション（ＬＴＥ）に従って動作する装置および／またはネットワーク、パーソナル・エリア・ネットワーク（ＰＡＮ）、ワイヤレスＰＡＮ（ＷＰＡＮ）、上記のＷＬＡＮおよび／またはＰＡＮおよび／またはＷＰＡＮネットワークの一部であるユニットおよび／または装置、単方向および／または双方向ワイヤレス通信システム、セルラワイヤレス電話通信システム、セルラ電話、ワイヤレス電話、パーソナル・コミュニケーション・システム（ＰＣＳ）装置、ワイヤレス通信装置を組み込んだＰＤＡ装置、マルチ入力マルチ出力（ＭＩＭＯ）トランシーバまたは装置、シングル入力マルチ出力（ＳＩＭＯ）トランシーバまたは装置、マルチ入力シングル出力（ＭＩＳＯ）トランシーバまたは装置、マルチ・レシーバ・チェーン（ＭＲＣ）トランシーバまたは装置、「スマート・アンテナ」技術またはマルチ・アンテナ技術を有するトランシーバまたは装置等と共に使用することができる。本発明のいくつかの実施例は、１またはそれ以上のタイプのワイヤレス通信信号および／またはシステム、例えば、無線周波数（ＲＦ）、赤外線（ＩＲ）、周波数分割多重（ＦＤＭ）、直交ＦＤＭ（ＯＦＤＭ）、直交周波数分割多重接続（ＯＦＤＭＡ）、時分割多重（ＴＤＭ）、時分割多重接続（ＴＤＭＡ）、拡張ＴＤＭＡ（Ｅ−ＴＤＭＡ）、符号分割多重接続（ＣＤＭＡ）、マルチキャリヤ変調（ＭＤＭ）、離散マルチトーン（ＤＭＴ）、Ｂｌｕｅｔｏｏｔｈ（登録商標）、ＺｉｇＢｅｅ（商標）または同種のものと共に使用することができる。本発明の実施例は、他の様々な機器、装置、システムおよび／またはネットワークにおいて使用することができる。
【００１３】
例えば、「処理」、「演算」、「計算」、「決定」、「確立」、「分析」、「検査」等のような用語を使用する記述は、コンピュータ、コンピューティング・プラットフォーム、コンピューティング・システム、または他の電子演算装置に関するものであり、それらは、コンピュータのレジスタおよび／またはメモリ内の物理（例えば電子）量として表わされるデータを、コンピュータのレジスタおよび／またはメモリ、あるいは動作および／または処理を行なうための命令を格納する他の情報格納媒体内の物理量として同様に表わされる他のデータへ、操作および／または変換するものであるが、本発明の実施例はこの点に制限されない。
【００１４】
ここで使用される用語「複数」は、例えば「多数」または「２またはそれ以上」を含むが、本発明の実施例はこの点に制限されない。用語「複数」は、本明細書の全体にわたって、２またはそれ以上のコンポーネント、装置、要素、ユニット、パラメータ等について記述するために使用される。例えば、「複数の基地局」には、２またはそれ以上の基地局が含まれる。
【００１５】
ここで使用される用語「マルチキャスト／ブロードキャスト」は、例えば、マルチキャスト通信、ブロードキャスト通信、ワイヤレス・マルチキャスト通信、ワイヤード・マルチキャスト通信、ワイヤレス・ブロードキャスト通信、ワイヤード・ブロードキャスト通信、インターネットまたはグローバル通信ネットワークを介したマルチキャスト通信、インターネットまたはグローバル通信ネットワークを介したブロードキャスト通信、ＴＣＰ／ＩＰを用いたマルチキャスト通信、ＴＣＰ／ＩＰを用いたブロードキャスト通信、ウェブキャスト通信（例えばワールド・ワイド・ウェブを使用）、および／または他のタイプの通信、例えばノンユニキャスト通信を含むが、本発明の実施例はこの点に制限されない。
【００１６】
ワイヤレス通信システムにおいて、移動局（ＭＳ）は、以下のいずれか１つの状態にある。
【００１７】
状態Ｉ：１またはそれ以上のアクティブ・コール・セッション中にトラフィックを受信または送信している。
【００１８】
状態ＩＩ：アクティブ・コール・セッション中にトラフィックを受信も送信もしていない。
【００１９】
状態ＩＩＩ：アクティブ・コール・セッションに接続されていない。
【００２０】
図２および図３は、アイドルおよびスリープ・モードのＭＳについて、これらのステップを示すフローチャートをそれぞれ図示する。図２のアイドル・モード２００に関し、フローチャートは、２０５において、ページングが可能かどうかを判定する。ＹＥＳの場合は、２１０でプリアンブルを用いて同期が取られ、さらに２１５でＦＣＨが復号される。２２０において、ＭＯＢ＿ＰＡＧ−ＡＤＶが存在するかどうかの判定がなされる。ＮＯの場合は、２０５に戻る。２２０においてＹＥＳの場合は、２２５でＬＩＳＣＣを復号し、かつ共通チャネルの長さを決定し、さらに、２３０で共通チャネル内のＭＯＢ＿ＰＡＧ−ＡＤＶメッセージを読む。
【００２１】
ＭＳが状態ＩＩまたはＩＩＩにあるとき、ＭＳは、ネットワークを用いた全ての送信および受信活動を一時的に切断することができる。したがって、これらの状況は、バッテリを保存しワイヤレス資源を節約する機会として使用される。米国電気電子学会（ＩＥＥＥ）規格８０２．１６ｅに基づくワイヤレス・ネットワークは、状態ＩＩおよびＩＩＩを利用するために、スリープ・モードおよびアイドル・モード動作をそれぞれ用いる。したがって、これらのネットワーク内のＭＳは、１またはそれ以上のコール・セッションがアクティブである間にそれがトラフィックを送信または受信しないとき、スリープ・モードで動作する。同様に、ＭＳは、アクティブ・コール・セッションに接続されていない間、アイドル・モードで動作する。ＩＥＥＥ８０２．１６ｅに基づくワイヤレス・ネットワークにおけるスリープおよびアイドル・モード動作については、以下で簡潔に記述する。
【００２２】
スリープ・モード（休止モード）：スリープ・モードは、ＭＳの電力使用を最小限にし、かつエア・インターフェース資源の使用を低減させることを意図している。この目的のために、ＭＳとその基地局（ＢＳ）との間でトラフィック交換がない場合、ＭＳはスリープ・モードになる。スリープ・モードの間、ＭＳは使用可能なインターバル(availability interval)と使用不可能なインターバル(unavailability interval)とを交互に繰り返す。使用不可能なインターバル中、ＭＳはその無線インターフェースの電力を落とすことができる。一方、使用可能なインターバル中、スリープ・モードのＭＳは、ＢＳによって送信されるあらゆるトラフィック・インジケータのメッセージをリスニングし、トラフィックの存在を表示する。ＢＳは、スリープ・モードのＭＳのために使用可能なインターバルおよび使用不可能なインターバルを追跡し、このＭＳのためのトラフィックの到着に基づいて後者の使用可能なインターバルの間に、ＭＯＢ＿ＴＲＦ−ＩＮＤと称されるトラフィック・インジケータのメッセージをＭＳに送る。したがって、スリープ・モードのＭＳは、その使用可能なインターバル中に、ダウンリンク・フレーム内のＭＯＢ＿ＴＲＦ−ＩＮＤメッセージを捜す。スリープ・モードのＭＳがＭＯＢ＿ＴＲＦ−ＩＮＤメッセージを受け取ると、ＭＯＢ＿ＴＲＦ−ＩＮＤがこのＭＳのためのトラフィックの存在を示している場合は、スリープ・モードのＭＳは正常モードの動作に戻る。そうでない場合は、スリープ・モードのＭＳは、そのスリープ・モードの動作を継続する。
【００２３】
アイドル・モード（未使用モード）：極めて長い期間、ワイヤレス・ネットワーク内で、移動局（ＭＳ）は、電源が投入されていても、アクティブ・コール・セッションではない状態にある。バッテリの保存および資源節約の機会としてこれらの期間を利用するために、アイドル・モードおよびページング動作がＩＥＥＥ８０２．１６ｅに基づくモバイル・ワイヤレス・ネットワークに記述されている。これらの手続きの度に、モバイル端末は、アイドル・モードと呼ばれる低電力モードに入る。必要なとき、例えばＭＳに対する入コールがあるときはいつでもＭＳをアクティブ・モードに復帰させるための、ＩＥＥＥ８０２．１６ｅに指定されたメカニズムがある。これは、通常、マルチキャストまたはブロードキャスト制御メッセージをアイドル・モードのユーザに送ることにより実行される。制御メッセージは、モバイル・ページング広告（ＭＯＢ＿ＰＡＧ−ＡＤＶ）メッセージと呼ばれる。ＭＯＢ＿ＰＡＧ−ＡＤＶメッセージは、入コールを待ち受けるＭＳのためのページング情報、例えば識別を含む。
【００２４】
アイドル・モードの間、各ユーザはページング不可能なインターバルとページング・リスニング・インターバルとを交互に繰り返す。これらの２つのインターバルは、ＰＡＧＩＮＧ＿ＣＹＣＬＥを構成する。ページング不可能なインターバル中、ユーザはいずれのＢＳによっても連絡することができない。一方、ページング・リスニング・インターバル中は、ユーザは、可能性のあるページング・メッセージをリスニングし、そのページング情報を有するＭＯＢ＿ＰＡＧ−ＡＤＶオペレーションを受け取ったときに正常モードに戻る。
【００２５】
図１の１００に示されるように、ＩＥＥＥ８０２．１６ｅに基づくワイヤレス・ネットワークにおいて、ＢＳは、マルチキャストまたはブロードキャスト接続を使用して、ＭＯＢ＿ＴＲＦ−ＩＮＤ１２５およびＭＯＢ＿ＰＡＧ−ＡＤＶ１２０を送る。図１は、ＭＯＢ＿ＰＡＧ−ＡＤＶ１２０およびＭＯＢ＿ＴＲＦ−ＩＮＤ１２５のメッセージを含むダウンリンクＩＥＥＥ８０２．１６ｅフレームを示す。ダウンリンク・フレームは、時分割複信（ＴＤＤ）モードの動作を使用するＩＥＥＥ８０２．１６ｅに基づくワイヤレス・システムに対応する。フレームは、同期のために使用されるプリアンブル１０５で始まり、その後に、フレーム構成情報を提供するフレーム制御ヘッダ（ＦＣＨ）１１０が続く。ＦＣＨ１１０の後に、ダウンリンクＭＡＰ（ＤＬ−ＭＡＰ）１３５およびアップリンクＭＡＰ（ＵＬ−ＭＡＰ）１３０メッセージが続き、それらは、ダウンリンク（ＤＬ）およびアップリンク（ＵＬ）サブフレームのためのサブチャネル配置および他の制御情報をそれぞれ含む。ＤＬフレームの残りの部分は、異なるユーザのための制御およびデータ・トラフィックを含む。
【００２６】
ＭＯＢ＿ＰＡＧ−ＡＤＶメッセージの送信および受信
【００２７】
ＢＳが１またはそれ以上のアイドル・モードのＭＳを呼び出すためにＭＯＢ＿ＰＡＧ−ＡＤＶ１２０メッセージを送信する必要があるとき、それはＤＬ  ＭＡＰ１３５内にページング情報要素（ＰＩＥ）１４０を含む。ＰＩＥ１４０は、ＤＬフレーム内のＭＯＢ＿ＰＡＧ−ＡＤＶ１２０の実際の位置を示すことができる。アイドル・モードのＭＳは、そのページング情報を含むあらゆるＭＯＢ＿ＰＡＧ−ＡＤＶメッセージを捜すために、ページング可能なインターバル内で以下の動作を実行する。
【００２８】
ステップ１：プリアンブル１０５を使用して、サービスを提供するＢＳと同期を取る。
【００２９】
ステップ２：その後、フレーム構成情報を取得するためにＦＣＨ１１０を復号する。
【００３０】
ステップ３：その後、ＤＬ  ＭＡＰ１３５を復号し、ＰＩＥ１４０の存在を捜す。ＭＳがＰＩＥ１４０を発見しない場合は、現在のＤＬフレームについてそれ以上処理を行なわない。
【００３１】
ステップ４：ＰＩＥ１４０が存在する場合は、ＭＯＢ＿ＰＡＧ−ＡＤＶ１２０メッセージを含むＤＬフレームの一部を読み、そのメッセージがページング情報を有するか否かチェックする。それが存在する場合は、ＭＳは正常モードの動作に戻り、そうでない場合はアイドル・モードに留まる。
【００３２】
ＭＯＢ＿ＴＲＦ−ＩＮＤメッセージの送信および受信
【００３３】
同様に、ＢＳが、１またはそれ以上のスリープ・モードのユーザに対してトラフィックの存在を表示するためにＭＯＢ＿ＴＲＦ−ＩＮＤ１２５メッセージを送る必要があるとき、それはＤＬ  ＭＡＰ１３５内にスリープ情報要素（ＳＩＥ）１５０を含む。ＳＩＥ１５０は、ＤＬフレーム内のＭＯＢ＿ＴＲＦ−ＩＮＤ１２５の実際の位置を示す。スリープ・モードのＭＳは、それにアドレス指定されたあらゆるＭＯＢ＿ＴＲＦ−ＩＮＤ１２５のメッセージを捜すために、その使用可能なインターバル内で以下の動作を実行する。
【００３４】
ステップ１：プリアンブル１０５を使用して、サービスを提供するＢＳと同期を取る。
【００３５】
ステップ２：その後、フレーム構成情報を取得するためにＦＣＨ１１０を復号する。
【００３６】
ステップ３：その後、ＤＬ  ＭＡＰ１３５を復号し、ＳＩＥ１５０の存在を捜す。ＭＳがＳＩＥ１５０を発見しない場合は、現在のＤＬフレームはそれ以上処理しない。
【００３７】
ステップ４：ＳＩＥ１５０が存在する場合は、次にＭＯＢ＿ＴＲＦ−ＩＮＤ１２５メッセージを含むＤＬフレームの一部を読み、そのメッセージがそのトラフィックの存在を示すかどうかをチェックする。存在する場合は、ＭＳは正常モードの動作に戻り、存在しない場合はスリープ・モードに留まる。
【００３８】
ＩＥＥＥ８０２．１６ｅは、ＰＩＥが、アイドル・モード・マルチキャストＣＩＤまたはブロードキャストＣＩＤを、このＣＩＤによって識別されるＭＯＢ＿ＰＡＧ−ＡＤＶ１２０メッセージの位置と共に含むことを明記する。同様に、ＳＩＥが、スリープ・モード・マルチキャストＣＩＤまたはブロードキャストＣＩＤを、このＣＩＤによって識別されるＭＯＢ＿ＴＲＦ−ＩＮＤ１２５メッセージの位置と共に含むことを明記する。ＰＩＥおよびＳＩＥの他の形式が、他のＯＦＤＭＡに基づくワイヤレス・ネットワーク内で指定される場合があることに注意されたい。しかしながら、ページングおよびトラフィック・インジケータ・メッセージの動作法則は、今までどおりＩＥＥＥ８０２．１６ｅに基づくワイヤレス・ネットワークの動作法則と同じでもよい。かかる全ての場合において、本発明の実施例は、ページングおよびスリープ・モード制御メッセージの効率的な送信を行なうために利用することができる。上記の議論は、アイドル・モードに関するＭＯＢ＿ＰＡＧ−ＡＤＶ１２０のメッセージおよびスリープ・モードに関するＭＯＢ＿ＴＲＦ−ＩＮＤ１２５メッセージの送信を単に考慮したものであることに注目されるかもしれない。他の制御メッセージもまた、これらのユーザに対して同様の方法で送信することも可能であり、また、本発明はいかなる特定の制御メッセージにも制限されることはなく、本発明の様々な実施例は、あらゆる制御メッセージをアイドルおよびスリープ・モードのユーザに対して効率的に送信するために利用することができると理解される。
【００３９】
本発明の実施例において、ＭＯＢ＿ＰＡＧ−ＡＤＶ１２０およびＭＯＢ＿ＴＲＦ−ＩＮＤ１２５メッセージは、アイドルおよびスリープ・モードのユーザに対する代表的な制御メッセージとして使用することができる。さらに、この提案された発明は、アイドルおよびスリープ・モードのユーザに対して他の制御メッセージを送信するためにも利用可能であることが予想される。
【００４０】
本発明の実施例は、アイドル・モードおよびスリープ・モードのＭＳに対して制御メッセージを送信するために、要求に基づく共通チャネル(need-based common channel)の使用を提案する。したがって、必要なときはいつでも、ＢＳは、ＤＬフレームの固定位置または相対的固定位置内のＭＯＢ＿ＰＡＧ−ＡＤＶ１２０およびＭＯＢ＿ＴＲＦ−ＩＮＤ１２５メッセージを送信することができる。固定位置は、ＯＦＤＭＡシンボル・オフセットおよびＯＦＤＭＡサブチャネル・オフセットを有する位置として定義される。相対的固定位置は、ＯＦＤＭＡフレームのいくつかの周知のフィールドの後にある位置として定義される。例えば、ＯＦＤＭＡフレームのプリアンブル、ＦＣＨ、ＤＬ  ＭＡＰ、およびＵＬ  ＭＡＰの後の位置である。ＤＬフレーム内の固定されたまたは相対的固定位置は、以下で提供される記述において、共通チャネルと呼ばれる。スリープおよびアイドル・モードのユーザに対して共通チャネルを割り当てるための異なる方法論があるかもしれない。その１つのオプションは、スリープおよびアイドル・モードのユーザのために個別のＤＬの共通チャネルを有することであるが、本発明はこの点に制限されない。他のオプションは、スリープおよびアイドル・モードのユーザのために１つの共通チャネルを有することである。さらに、スリープおよびアイドル・モードのユーザに対して共通チャネルを割り付けるのための他の方法がある。本発明の実施例は、アイドルおよびスリープ・モードのユーザに対して共通チャネルを分配するために用いられる方法論にかかわらず利用可能である。本発明の実施例では、１つの共通チャネルがスリープおよびアイドル・モードの両方に使用されると仮定するが、この点に制限されない。相対的固定位置が使用される場合、共通チャネルは、ＯＦＤＭＡフレーム内のＤＬおよびＵＬ  ＭＡＰの後に位置させることができる。他の相対的固定位置も用いることができ、本発明の実施例は、共通チャネルのために使用される相対的固定位置に関係なく利用可能である。固定位置が共通チャネルのために使用される場合は、共通チャネルの位置に関する情報は、ＩＥＥＥ８０２．１６ｅに基づくワイヤレス・ネットワーク内のダウンリンク・チャネル記述子（ＤＣＤ）メッセージのような、ＢＳによって送信されたブロードキャスト制御情報を通じてＭＳに提供することができる。同様に、相対的固定位置が共通チャネルのために使用される場合は、共通チャネルの位置に関する情報は、ＩＥＥＥ８０２．１６ｅに基づくワイヤレス・ネットワーク中のＤＣＤメッセージによって提供することができる。例えば、ＤＣＤメッセージは、共通チャネルが、プリアンブル、ＦＣＨ、ＤＬおよびＵＬ  ＭＡＰの後に位置することを伝達することができる。したがって、共通チャネルの位置を判定するために、アイドルおよびスリープ・モードＳＳは、プリアンブル、ＦＣＨ、ＤＬ  ＭＡＰおよびＵＬ  ＭＡＰの長さに関する情報を必要とする。これらのプリアンブルおよびＦＣＨの長さは、通常、各ＯＦＤＭＡフレーム内に固定される。ＦＣＨは、ＤＬおよびＵＬ  ＭＡＰの長さを指定する。アイドルおよびスリープ・モードＳＳは、ＦＣＨからＤＬおよびＵＬ  ＭＡＰの長さについて学習する。そ��後、プリアンブル、ＦＣＨ、ＤＬ  ＭＡＰおよびＵＬ  ＭＡＰの長さを用いて、アイドル・およびスリープ・モードＳＳは、共通チャネルの位置について学習する。他の方法もまた、アイドルおよびスリープ・モードに共通チャネルの位置を通知するために使用することができる。
【００４１】
ＤＬフレーム中のＭＯＢ＿ＰＡＧ−ＡＤＶ１２０およびＭＯＢ＿ＴＲＦ−ＩＮＤ１２５メッセージの存在を示すための、ＢＳのための異なる技術がある。この点で制限されていなかったが、２つの可能性のある技術は、以下のとおりであるが、これに制限されない。
【００４２】
１つの技術は、ＢＳが、ＤＬフレームの一部のＦＣＨ１１０内にＭＯＢ＿ＰＡＧ−ＡＤＶ１２０およびＭＯＢ＿ＴＲＦ−ＩＮＤ１２５メッセージが存在することを表示することである。他の技術では、ＢＳは、ＤＬ  ＭＡＰの後にＭＯＢ＿ＰＡＧ−ＡＤＶ１２０およびＭＯＢ＿ＴＲＦ−ＩＮＤ１２５メッセージが存在することを表示してもよい。
【００４３】
提案された発明は、ＤＬフレーム内にＭＯＢ＿ＰＡＧ−ＡＤＶ１２０およびＭＯＢ＿ＴＲＦ−ＩＮＤ１２５メッセージが存在することを表示するためにＢＳによって使用される技術にかかわらず利用可能であることに注目されたい。
【００４４】
上記の技術を実施するための異なる方法がある。第１の技術のための３つの可能性のある方法について以下で述べるが、この点に制限されることはない。これらのアプローチの実施例は、スリープおよびアイドル・フラグ（以下に記述する）がＦＣＨ１１０の代わりにＤＬ−ＭＡＰ１３５の後に位置するという点を除いて第２の技術に類似しており、また、（スリープおよびアイドル・フラグによって表示されるように）必要なときはいつでも、論理アイドル・スリープ・コントロール・コード（ＬＩＳＣＣ）（以下に記述する）をこれらのフラグの後に置かれる。
【００４５】
方法１：１つの方法は、ＦＣＨ１１０内の個別のスリープおよびアイドル・フラグを使用して、これらのメッセージの存在または不存在を表示することである。フラグの少なくとも１つが真の場合、以下の表１に示されるように、ＦＣＨ１１０の後に、共通チャネルの長さを含む論理アイドル・スリープ・コントロール・コード（ＬＩＳＣＣ）と呼ばれる固定長制御コードが続く。
【００４６】
以下の表１において、Ｌ１およびＬ２は、ＭＯＢ＿ＰＡＧ−ＡＤＶ１２０およびＭＯＢ＿ＴＲＦ−ＩＮＤ１２５メッセージの長さをそれぞれ表わす。ＦＣＨ１１０内のスリープおよびアイドル・モード・フラグの両方が正の表示であるとき、Ｌ１およびＬ２の両方が存在することに注意されたい。一方、ＦＣＨ内のフラグの１つのみが正の表示であるときは、Ｌ１またはＬ２のいずれかが存在する。したがって、共通チャネルの長さの合計は、Ｌ１＋Ｌ２である。ＨＣＳは、ヘッダ・チェック・サムであり、ｎ個のビットを有する。
【００４７】
方法１のＬＩＳＣＣの構造。
【表１】
2010506540.tif 000003
【００４８】
方法２：他の方法では、スリープまたはアイドル・メッセージ、あるいはスリープまたはアイドル・メッセージの両方の存在を表示するために、ＦＣＨ内で１つのフラグのみが使用される。この場合、スリープ・メッセージのみか、アイドル・メッセージのみか、あるいはスリープおよびアイドル・メッセージの両方が存在するのかが明らかではない。
【００４９】
しかしながら、これは、以下の表２に示すにＬＩＳＣＣの構造を使用することにより明確にすることができる。
【００５０】
方法２のＬＩＳＣＣの構造。
【表２】
2010506540.tif 000004
【００５１】
ＰＡＧ（１／０）ビットは、現在のＤＬフレーム内にＭＯＢ＿ＰＡＧ−ＡＤＶメッセージが存在するか存在しないかを示す。同様に、ＴＲＦ（１／０）ビットは、現在のＤＬフレーム内にＭＯＢ＿ＴＲＰ−ＩＮＤメッセージが存在するか存在しないかを示す。ＬＥＮ（Ｌ１）は、ＰＡＧ＝１のときにのみ存在し、ＬＥＮ（Ｌ２）は、ＴＲＦ＝１のときにのみ存在する。ＰＡＧ＝１およびＴＲＦ＝１のとき、ＬＥＮ（Ｌ１）およびＬＥＮ（Ｌ２）の両方が存在する。ＨＣＳ（ｎ）はヘッダ・チェック・サムである。したがって、共通チャネルの長さの合計はＬ１＋Ｌ２である。
【００５２】
方法３：この方法は、それぞれ、アイドル・モードおよびスリープ・モードのＭＳが、それぞれ異なるページングおよびスリープ・グループに分類される場合に利用することができる。この場合、ＬＩＳＣＣは、ＭＯＢ＿ＰＡＧ−ＡＤＶおよびＭＯＢ＿ＴＲＦ−ＩＮＤメッセージが、それぞれ任意の特定のページングおよびスリープ・グループ内でＭＳのために存在するかどうかを表示するために修正可能である。ページングおよびスリープ・グループの数が、それぞれｒおよびｔである場合、ＬＩＳＣＣの１つの可能性のある構造がテーブル３に示される。
【００５３】
方法３のＬＩＳＣＣの構造。
【表３】
2010506540.tif 000005
【００５４】
ｒおよびｔが、アイドルおよびスリープ・モードのＭＳに（例えば、ＩＥＥＥ  ８０２．１６ｅ内のＤＣＤメッセージを通して）知られている場合、それらはＬＩＳＣＣの一部である必要がない。これによって、この情報を送信するために使用されるビットを節約することができる。Ｐ１、Ｐ２等は、ＭＯＢ＿ＰＡＧ−ＡＤＶメッセージが、ページング・グループＰ１、Ｐ２等のアイドル・モードのＭＳのためにそれぞれ存在するかどうかを示す。同様に、Ｓ１、Ｓ２等は、ＭＯＢ＿ＴＲＦ−ＩＮＤメッセージが、スリープ・グループＳ１、Ｓ２等のスリープ・モードのＭＳのためにそれぞれ存在するかどうかを示す。
【００５５】
アイドル・モードのＭＳが、上記の方法１または方法２のいずれかを使用して現在のＤＬフレーム内にそれらのための制御メッセージが存在することを認識し、かつ共通チャネルの長さを決定した後、それらは共通チャネルの情報を復号する。アイドル・モードのＭＳは、それが固定されているので共通チャネルのスタート位置を知り、その後、Ｌ１＋Ｌ２として共通チャネルの長さを認識することに注目されたい。共通チャネル内にＭＯＢ＿ＰＡＧ―ＡＤＶおよびＭＯＢ＿ＴＲＦ−ＩＮＤメッセージの両方が存在するとき、最初に長さＬ１のＭＯＢ＿ＰＡＧ−ＡＤＶメッセージが位置し、その後に長さＬ２のＭＯＢ＿ＴＲＦ−ＩＮＤメッセージが続く。これらの２つのメッセージは、他の順序で配置することも可能である。さらに、共通チャネルは、ページングおよびスリープ制御メッセージを首尾よく送信するために必要な他の制御メッセージ、例えば、これらのメッセージのためのエラー修正コーディング等を含んでもよい。
【００５６】
これらのメッセージがエア・リンクを通して送信されることが要求される場合に限り、共通チャネルは、ＭＯＢ＿ＰＡＧ−ＡＤＶまたはＭＯＢ＿ＴＲＦ−ＩＮＤメッセージ、あるいはこれらのメッセージの両方を送信するために使用されることに注目されたいが、この点に制限されない。これらのメッセージがいずれも存在しないとき、共通チャネルは他のキャリーまたは他のタイプのトラフィックを使用することができる。さらに、共通チャネルの長さは、要求(need)、すなわちＬ１＋Ｌ２に基づいて設定することができる。このＬ１＋Ｌ２は、共通チャネルの長さを示す。
【００５７】
本発明の実施例は、以下のように要約することができるが、この点に制限されない。最初に、アイドルおよびスリープ・モードのＭＳは、それらに対する制御メッセージの存在を見出すためにＦＣＨを復号する。現在のフレーム内にそれらに対する制御メッセージの存在を見出した場合、あるいは見出した場合のみ、ＦＣＨの直後に続くＬＩＳＣＣを復号し、共通チャネルの長さを決定する。その後、それらは共通チャネルの制御情報を復号する。
【００５８】
図２および図３は、アイドルおよびスリープ・モードのＭＳのそれぞれについて、これらのステップを示すフローチャートである。図２のアイドル・モード２００に関し、フローチャートは、２０５において、ページングが可能かどうかを判定する。ＹＥＳの場合は、２１０でプリアンブルを用いて同期が取られ、さらに２１５でＦＣＨが復号される。２２０において、ＭＯＢ＿ＰＡＧ−ＡＤＶが存在するかどうかの判定がなされる。ＮＯの場合は、２０５に戻る。２２０においてＹＥＳの場合は、２２５でＬＩＳＣＣを復号し、かつ共通チャネルの長さを決定し、さらに、２３０で共通チャネル内のＭＯＢ＿ＰＡＧ−ＡＤＶメッセージを読む。
【００５９】
図３のスリープ・モード３００に関し、フローチャートは、３０５において、ページングが可能かどうかを判定する。ＹＥＳの場合は、３１０でプリアンブルを用いて同期が取られ、さらに３１５でＦＣＨが復号される。３２０において、ＭＯＢ＿ＴＲＦ−ＩＮＤが存在するかどうかの判定がなされる。ＮＯの場合は、３０５に戻る。３２０においてＹＥＳの場合は３２５でＬＩＳＣＣを復号し、かつ共通チャネルの長さを決定し、さらに、３３０で共通チャネル内のＭＯＢ＿ＴＲＦ−ＩＮＤメッセージを読む。
【００６０】
提案された発明は、以下のものを含むいくつかの長所を有する。すなわち、
アイドルおよびスリープ・モードのＭＳは、それぞれ、それらのページング可能なインターバルおよび使用可能なインターバル中に全てのフレームのＦＣＨのみを復号することが要求される。それらは、それらに関係する制御メッセージの存在について肯定的な表示がある場合のみ、ＬＩＳＣＣを復号することが要求される。一方、既存の方法論を用いた場合は、アイドルおよびスリープ・モードのＭＳは、それぞれ、ページング可能なインターバルおよび使用可能なインターバル中に全てのフレームの全てのＤＬ  ＭＡＰおよびＦＣＨを復号するので、結果として著しい電力消費量になる。したがって、提案された方法は、アイドルおよびスリープ・モードのユーザがそれらに対する制御メッセージの存在を見出すことによって、電力消費量の著しい削減を達成することができる。
【００６１】
提案された方法は、共通チャネル位置が固定されているようなＤＬ−ＭＡＰ内のＰＩＥおよびＳＩＥの必要性を除去した。したがって、それは、ＰＩＥおよびＳＩＥに関連するオーバーヘッドを除去する。提案された方法は、ＦＣＨ内のフラグを使用して、フレーム内のＭＯＢ＿ＰＡＧ−ＡＤＶおよびＭＯＢ＿ＴＲＦ−ＩＮＤメッセージの存在を表示することは注目されるであろう。しかしながら、ＰＩＥおよびＳＩＥの長さと比較して無視できるのは、１また２ビットのみである。
【００６２】
本発明のいくつかの実施例は、特定のアプリケーションに適するように、あるいは特定の設計要求に従って、ソフトウェア、ハードウェア、またはソフトウェアおよび／またはハードウェアの任意の組み合わせによって実行される。本発明の実施例は、全体または一部が互いに別個または組み合わされたユニットおよび／またはサブユニットを含み、当該技術分野において周知であるような特定目的、多目的、または汎用プロセッサまたはコントローラを使用して実施される。本発明のいくつかの実施例は、一時的または長期的なデータの格納のため、あるいは特定の実施例の動作を促進するためのバッファ、レジスタ、スタック、格納ユニットおよび／またはメモリ・ユニットを含む。
【００６３】
本発明のいくつかの実施例は、例えば、マシン読取り可能な媒体、あるいは、命令または命令セットを格納する物品を使用し、これらがマシンによって、例えば図４のシステム４００によって、プロセッサ（図示せず）およびアンテナ４１５を含む図４の移動局４０５によって、または他の適切なマシンによって実行されたとき、マシンに、本発明の実施例に従った方法および／または動作を行なわせる。移動局４０５は、基地局４１０と通信する。そのようなマシンには、例えば、任意の適切な処理プラットフォーム、演算プラットフォーム、演算装置、処理装置、演算システム、処理システム、コンピュータ、プロセッサ等が含まれ、それらは、ハードウェアおよび／またはソフトウェアの任意の適切な組み合わせを使用して実施される。マシン読取り可能な媒体または物品には、例えば、任意の適切なタイプのメモリ・ユニット、メモリ装置、メモリ製品、メモリ媒体、格納装置、格納製品、格納媒体および／または格納ユニット、例えばメモリ、取り外し可能または取り外し不可能な媒体、消去可能または消去不可能な媒体、書き込み可能または再書き込み可能な媒体、デジタルまたはアナログ媒体、ハードディスク、フレキシブル・ディスク、コンパクト・ディスク・リード・オンリ・メモリ（ＣＤ−ＲＯＭ）、コンパクト・ディスク・レコーダブル（ＣＤ−Ｒ）、コンパクト・ディスク・リライタブル（ＣＤ−ＲＷ）、光ディスク、磁気媒体、様々なタイプのデジタル・ビデオ・ディスク（ＤＶＤ）、テープ、カセット等が含まれる。命令には、任意の適切なタイプのコード、例えばソース・コード、コンパイルされたコード、解釈されたコード、実行可能なコード、静的コード、動的コード等が含まれ、そして、任意の適切な高レベル、低レベル、目的指向、ビジュアル、コンパイルおよび／または解釈されたプログラミング言語、例えばＣ、Ｃ＋＋、Ｊａｖａ（登録商標）、ＢＡＳＩＣ、パスカル、フォートラン、コボル、アセンブリ言語、機械コード等を使用して実行される。
【００６４】
上記において提供されるマシンアクセス可能な媒体は、命令を提供し、それはアクセスされたとき、マシンに、アイドル・モードおよびスリープ・モードの移動局と通信可能な基地局（ＢＳ）によって、前記移動局に制御メッセージを送信するという要求に基づく共通チャネルを使用することを含む動作を実行させる。さらに、マシンアクセス可能な媒体は、上記命令が、前記マシンに、ＦＣＨを復号し、上記アイドルまたはスリープ・モードのＭＳの少なくとも１つによって制御メッセージの存在を見出し、現在のフレーム内にそれに対する制御メッセージの存在を見出した場合または見出した場合にのみ、前記ＦＣＨの直後に続くＬＩＳＣＣ（論理アイドル・スリープ制御コード）を復号し、前記共通のチャネルの長さを決定し、そして前記共通チャネル内の制御情報を復号することをさらに含む動作を実行させることを含む。
【００６５】
ここに本発明のいくつかの特性が図示されかつ記述されたが、当業者であれば、多くの修正、代用、変更および等価物を想起できるであろう。したがって、添付の請求の範囲は、本発明の真の精神に含まれる修正および変更をすべて包含することを意図するものであると理解すべきである。
【図１】
2010506540.tif 000006
【図２】
2010506540.tif 000007
【図３】
2010506540.tif 000008
【図４】
2010506540.tif 000009
【国際調査報告】
2010506540.tif 000010
2010506540.tif 000011